(57)【特許請求の範囲】
【請求項１】
移動無線通信装置であって、
複数の無線アクセスベアラを介する無線通信ネットワーク信号で無線ネットワークサブシステムと送受信する無線送受信機と、
前記無線送受信機に接続された処理装置と、
前記無線送受信機と前記処理装置に接続された論理部とを備え、
前記論理部は、
前記移動無線通信装置が同時に、第１の無線アクセスベアラと第２の無線アクセスベアラとにより前記無線ネットワークサブシステムに接続されているとき、
データパケットを第１の無線アクセスベアラのアップリンク上に前記無線ネットワークサブシステムへ向けて送信し、
前記無線ネットワークサブシステムにより前記データパケットが正しく受信されなかった場合は、前記データパケットを再送信し、
前記データパケットのＮ回の再送信後に、
非アクティブ化期間を開始し、前記非アクティブ化期間の間、
前記無線ネットワークサブシステムへ前記第１の無線アクセスベアラのアップリンク上にリセットパケットを送信し、
前記リセットパケットが、前記無線ネットワークサブシステムにより正しく受信されないときは、前記リセットパケットを再送信し、
非アクティブ化期間の終了前に、前記第１の無線アクセスベアラを使用するデータコネクションに関連するパケットデータプロトコル（ＰＤＰ）コンテキストを非アクティブ化することにより、前記第２の無線アクセスベアラを維持したまま前記第１の無線アクセスベアラを解放するよう構成されていることを特徴とする移動無線通信装置。
【請求項２】
前記第１の無線アクセスベアラはパケット交換データを伝送するチャンネルを提供し、前記第２の無線アクセスベアラは回線交換データを伝送するチャンネルを提供することを特徴とする請求項１に記載の移動無線通信装置。
【請求項３】
前記データパケットはレイヤ２データプロトコルデータユニットであり、前記リセットパケットはレイヤ２リセットプロトコルデータユニットであることを特徴とする請求項１または２に記載の移動無線通信装置。
【請求項４】
前記レイヤ２データプロトコルデータユニットは、前記無線ネットワークサブシステムから前記レイヤ２データプロトコルデータユニットが前記無線ネットワークサブシステムに正しく受信されたことの確認応答を要求する、ポールビットを含むことを特徴とする請求項３に記載の移動無線通信装置。
【請求項５】
移動無線通信装置における方法であって、
前記移動無線通信装置は、第１の双方向無線アクセスベアラと第２の双方向無線アクセスベアラとにより同時に無線通信ネットワークの無線ネットワークサブシステムに接続されているときに、
データパケットを、前記第１の双方向無線アクセスベアラのアップリンク上に前記無線ネットワークサブシステムへ向けて送信するステップと、
前記データパケットが前記無線ネットワークサブシステムにより正しく受信されなかったときに、前記データパケットを再送信するステップと、
前記データパケットのＮ回の再送信後、
非アクティブ化時間間隔を待ち、前記非アクティブ化時間間隔の後、前記第１の双方向無線アクセスベアラを使用するデータコネクションに関連するパケットデータプロトコル（ＰＤＰ）コンテキストを非アクティブ化することにより、前記第２の双方向無線アクセスベアラを維持したまま前記第１の双方向無線アクセスベアラを解放するステップと、
を含むことを特徴とする方法。
【請求項６】
さらに、前記データパケットのＮ回の再送信後でかつ前記第１の双方向無線アクセスベアラを解放する前に、
リセットパケットを前記第１の双方向無線アクセスベアラのアップリンク上に前記無線ネットワークサブシステムへ向けて送信するステップと、
前記無線ネットワークサブシステムにより前記リセットパケットが正しく受信されなかったときは、前記リセットパケットを再送信するステップと、
前記リセットパケットのＭ回の再送信後で前記非アクティブ化時間間隔の後に、前記第２の双方向無線アクセスベアラを維持したまま、前記第１の双方向無線アクセスベアラを解放するステップと、
を含むことを特徴とする請求項５に記載された方法。
【請求項７】
前記第１の双方向無線アクセスベアラはパケット交換データを伝送するチャンネルを提供し、前記第２の双方向無線アクセスベアラは回線交換データを伝送するチャンネルを提供することを特徴とする請求項５または６に記載の方法。
【請求項８】
前記データパケットはレイヤ２データプロトコルデータユニットであり、前記リセットパケットはレイヤ２リセットプロトコルデータユニットであることを特徴とする請求項６に記載の方法。
【請求項９】
前記レイヤ２データプロトコルデータユニットは、前記無線ネットワークサブシステムから前記レイヤ２データプロトコルデータユニットが正しく受信されたことの確認応答を要求するポールビットを含むことを特徴とする請求項８に記載の方法。
【請求項１０】
同時に複数の無線チャンネルにより、無線通信ネットワークにおいて無線アクセスシステムに接続される移動無線通信装置を制御するための複数の命令を含むコンピュータ読み取り可能な記録媒体であって、前記命令は実行されたときに、
データパケットを、前記複数の無線チャンネルにおける第１の無線チャンネル上に前記無線アクセスシステムへ向けて送信するステップと、
前記無線アクセスシステムにより前記データパケットが正しく受信されなかった場合は前記データパケットを再送信するステップと、
前記データパケットのＮ回の再送信後に、前記第１の無線チャネルを使用するデータコネクションに関連するパケットデータプロトコル（ＰＤＰ）コンテキストを非アクティブ化することにより、前記無線アクセスシステムへの複数の無線チャンネルにおける少なくとも１つの他の無線チャンネルの接続を維持したまま前記第１の無線チャンネルを切断するステップと、
を前記移動無線通信装置に実行させる命令を含むことを特徴とするコンピュータ読み取り可能な記録媒体。
【請求項１１】
さらに、前記データパケットのＮ回の再送信の後に、前記第１の無線チャンネルを切断する前に、非アクティブ化時間間隔を待つステップを、前記移動無線通信装置に実行させる命令を含むことを特徴とした請求項１０に記載のコンピュータ読み取り可能な記録媒体。
【請求項１２】
さらに、前記データパケットのＮ回の再送信後でかつ前記第１の無線チャンネルを切断する前に、
リセットパケットを前記第１の無線チャネル上に前記無線アクセスシステムへ向けて送信するステップと、
前記無線アクセスシステムにより前記リセットパケットが正しく受信されなかったときは、前記リセットパケットを再送信するステップと、
前記データパケットのＮ回の再送信の後でかつ前記リセットパケットのＭ回の再送信後に、前記第１の無線チャネルを使用するデータコネクションに関連するパケットデータプロトコル（ＰＤＰ）コンテキストを非アクティブ化することにより、前記無線アクセスシステムへの前記複数の無線チャンネルにおける前記少なくとも１つの他の無線チャンネルの前記接続を維持したまま、前記第１の無線チャンネルを切断するステップと、を
前記移動無線通信装置に実行させる命令を含むことを特徴とした請求項１０に記載のコンピュータ読み取り可能な記録媒体。
【請求項１３】
前記第１の無線チャンネルはパケットスイッチデータを伝送し、前記複数の無線チャンネルの前記少なくとも１つの他の無線チャンネルは回線交換データを伝送することを特徴とする請求項１０乃至１２のいずれか１項に記載のコンピュータ読み取り可能な記録媒体。
【請求項１４】
前記データパケットはレイヤ２データプロトコルデータユニットであり、前記リセットパケットはレイヤ２リセットプロトコルデータユニットを含むことを特徴とする請求項１２に記載のコンピュータ読み取り可能な記録媒体。
【請求項１５】
前記レイヤ２データプロトコルデータユニットは、前記無線アクセスシステムから前記レイヤ２データプロトコルデータユニットが前記無線アクセスシステムにより正しく受信されたことの確認応答を要求するポールビットを含むことを特徴とする請求項１４に記載のコンピュータ読み取り可能な記録媒体。
【請求項１６】
移動無線通信装置と無線アクセスネットワーク間の少なくとも２つの同時無線接続を制御する方法であって、
第１の無線接続を介して回線交換データを送受信するステップと、
第２の無線接続を介してパケット交換データを送受信するステップと、
送信された前記パケット交換データが前記無線アクセスネットワークにより正しく受信されたか判定するステップと、
前記移動無線通信装置による複数回の再送信後に、前記無線アクセスネットワークにより前記送信されたパケット交換データが正しく受信されなかった場合に、前記第２の無線接続を使用するデータコネクションに関連するパケットデータプロトコル（ＰＤＰ）コンテキストを非アクティブ化することにより、前記第１の無線接続を維持したまま前記第２の無線接続を切断するステップと、
を含むことを特徴とする方法。
【請求項１７】
さらに、前記第２の無線接続を切断する前に前記第２の無線接続をリセットするステップを含むことを特徴とする請求項１６に記載の方法。
【発明の詳細な説明】
【技術分野】
【０００１】
記載された実施例は一般的な無線移動体通信に関連する。より具体的には、移動無線通信装置と無線通信ネットワークとの間の複数の無線アクセスベアラをもつ接続を制御することに関す。
【背景技術】
【０００２】
セルラーホンやワイヤレス・デジタル・アシスタントのような移動無線通信装置は、例えば音声通信、テキストメッセージ、インターネットブラウジング、電子メールのような多種多様な通信サービスを提供することができる。移動無線通信装置は、各セルがセル内にある無線ネットワークサブシステムから延びる無線信号のサービスエリアの地理的領域を提供する、重複するセルの無線通信ネットワークにおいて動作することができる。無線ネットワークサブシステムには、グローバルシステムコミュニケーションネットワーク（ＧＳＭ（登録商標））の基地局（ＢＴＳ）またはユニバーサルモバイルテレコミュニケーションシステムネットワーク（ＵＭＴＳ）内のノードBを含めることができる。新しい移動無線通信装置は、音声通話と同時にデータのブラウジングインターネットなどの同時に複数の異なる通信サービスを提供する能力を有する。別々の無線アクセスベアラは、無線ネットワーク内の移動無線通信装置と１つ以上の無線ネットワークサブシステム間の各サービスごとに無線リンク信号を送信するために使用できる。移動無線通信装置のユーザの視点から見ると、別々の無線アクセスベアラを介する伝送通信サービスの各々は独立と見なすことができ、したがって１つの無線アクセスベアラを介した接続の変更は、別の無線アクセスベアラを使用する接続に最小の影響を与えるべきである。第３世代パートナーシッププロジェクト（３ＧＰＰ）ＵＭＴＳ仕様などの通信プロトコルは、複数の無線アクセスベアラを１つの接続として扱うことができ、別々に変更するよりむしろ複数のサービスが一緒に変更されてしまう。
【０００３】
無線通信ネットワークを介するデータ使用量は先進的な携帯無線通信機器の導入で大幅に増加している。データの利用者数が増加するにつれて、無線通信ネットワークは、移動無線通信装置へのデータの配信に影響する混雑やスケジューリングの問題を招く。いくつかの状況では、音声接続とデータ接続が同時に接続している移動無線通信装置は、データまたは確認応答がネットワークから受信されないときに音声信号を受信し続けることができる。移動無線通信装置は、データ接続が回復不能になると、再送、リセット、最終的に無線通信ネットワークとの無線リンクを終了するように構成できる。音声接続が正常に動作することができるにもかかわらず、無線リンクを終了することは、データ接続と音声接続の両方を削除することになる。
【０００４】
このように、無線通信ネットワークにおける移動無線通信装置と１つ以上の無線ネットワークサブシステム間の複数の無線アクセスベアラを独立して接続を解放する制御をする必要性が存在する。
【発明の概要】
【０００５】
説明される実施形態は一般的に無線移動体通信に関連する。より具体的には、1つの例では、この方法は、無線通信ネットワークにおける移動無線通信装置と１つ以上のネットワークサブシステムとの間の複数の無線アクセスベアラについて記載されている。
【０００６】
一実施形態において、移動無線通信装置において複数の無線アクセスベアラを制御する方法が開示される。一実施形態では、この方法は移動無線通信装置が無線通信ネットワークに接続されているときに、移動無線通信装置において実行される。最初に、移動無線通信装置は、第１および第２の双方向の無線アクセスベアラによって無線通信ネットワークにおいて、無線ネットワークサブシステムに接続されている。移動無線通信装置は、無線ネットワークサブシステムへ第１の双方向の無線アクセスベアラのアップリンク上にデータパケットを送信する。データパケットが正しく無線ネットワークサブシステムによって受信されない場合は、移動無線通信装置は、繰り返しデータパケットを再送信する。データパケットのＮ回の再送信の後、移動無線通信装置は第２の双方向無線アクセスベアラを維持しつつ、第１の双方向の無線アクセスベアラを解放する。実施形態では、第１の双方向の無線アクセスベアラは、パケット交換データを伝送するためのチャネルを提供し、第２の双方向無線アクセスベアラは、回線交換データを伝送するチャネルを提供する。
【０００７】
さらなる実施形態では、無線通信ネットワーク信号で無線ネットワークサブシステムから送受信するための無線送受信機を含む移動無線通信装置や無線トランシーバに接続された処理装置のサブシステムが記載されている。移動無線通信装置が、第１の無線アクセスベアラと同時に第２の無線アクセスベアラによって、無線ネットワークサブシステムに接続されている場合、処理装置は、一連の命令を実行するように構成されている。命令セットは、無線ネットワークサブシステムへ第１の無線アクセスベアラのアップリンク上でデータパケットを送信すること、データパケットが正しく無線ネットワークサブシステムによって受信されない場合にデータパケットを再送信することを含む。命令セットはまた、データパケットのＮ回の再送信後に第２の無線アクセスベアラを維持しつつ、第１の無線アクセスベアラを解放することを含む。別の実施形態では、命令セットはさらに、無線ネットワークサブシステムへ第１の無線アクセスベアラのアップリンク上にリセットパケットを送信すること、リセットパケットが正しく無線ネットワークサブシステムによって受信されない場合にリセットパケットを再送すること、リセットパケットのＭ回の再送信後に第２の無線アクセスベアラを維持しながら、第１の無線アクセスベアラを解放することを含む。
【０００８】
別の実施形態では、同時に複数の無線チャネルにより無線通信ネットワークにおける無線アクセスシステムに接続された移動無線通信装置を制御するためのコンピュータ読み取り可能な記録媒体にエンコードされたコンピュータプログラムが記載されている。コンピュータプログラムは無線アクセスシステムへ複数の無線チャネルの第１の無線チャネル上にデータパケットを送信するための非一時的なコンピュータプログラムコードを含む。コンピュータプログラムは、データパケットが無線アクセスシステムにより正しく受信されないときにデータパケットを再送信し、データパケットのＮ回の再送信の後、無線アクセスシステムへの複数の無線チャネルのうちの少なくとも１つの他のチャネルの接続を維持したまま、第１の無線チャネルを切断するための非一時的なコンピュータプログラムコードを含む。
【０００９】
さらなる実施形態では、移動無線通信装置及び無線アクセスネットワーク間の少なくとも２つの同時無線接続を制御するための方法が記載されている。この方法は、移動無線通信装置において、第２無線接続を介してパケット交換データを同時に送受信しながら、第１無線接続を介して回線交換データを送受信することを含む。この方法はさらに、送信されたパケット交換データは、無線アクセスネットワークにより正しく受信されたかどうか判定することを含む。この方法はさらに、移動無線通信装置による複数の再送信後、無線アクセスネットワークによって送信されたパケット交換データが正しく受信されていないときに、無線アクセスネットワークとの第１の無線接続を維持しながら、第二の無線接続を切断することを含む。
【図面の簡単な説明】
【００１０】
本開示および利点は、その添付の図面と併せて以下の説明を参照することによって理解することができる。
【図１】無線セルラー通信ネットワーク内に配置された移動無線通信装置。
【図２】無線通信ネットワークのための階層的なアーキテクチャ。
【図３】移動無線通信装置のための通信プロトコルスタック。
【図４】回線交換とパケット交換を有する複数の無線アクセスベアラ無線接続。
【図５】ユーザ機器（ＵＥ）と無線ネットワークサブシステム（ＲＮＳ）との間の再送信を含むデータパケットの送信順序。
【図６】ＵＥとＲＮＳとの間のリンクの切断を含むＵＥからＲＮＳへのデータパケットの送信順序。
【図７】ＵＥからＲＮＳへのパケットデータプロトコルの非アクティブ化（ｄｅａｃｔｉｖａｔｉｏｎ）を含むデータパケットの送信順序。
【図８】移動無線通信装置と無線通信ネットワーク間の複数の無線アクセスベアラ接続を制御するための方法。
【発明を実施するための形態】
【発明を実施するための形態】
【００１１】
以下の説明において、多数の具体的な詳細が、実施形態の基本となる概念の完全な理解のために提供される。当業者にはこれらの具体的な詳細の一部または全てがなくても本実施形態が実施できることは明らかであろう。他の例では、周知の処理ステップは基礎的な概念を不必要に曖昧にすることを避けるために詳細には説明されない。
【００１２】
図１は、移動無線通信装置１０６が接続できる無線通信セルが重複する無線通信ネットワーク１００を示す。各無線通信セルは中央無線ネットワークサブシステムから延びている地理的な領域をカバーすることができる。移動無線通信装置１０６は、移動無線通信装置から異なる距離に位置する無線通信ネットワーク１００の複数の異なるセルから、通信信号を受信することができる。グローバルモバイルコミュニケーションプロトコル（ＧＳＭ）などに続く第２世代（２Ｇ）無線通信ネットワークにおいて、移動無線通信装置１０６は、一度に１つの無線リンクを用いて、無線通信ネットワーク１００において無線ネットワークサブシステムに接続することができる。例えば、移動無線通信装置１０６は、最初にサービングセル１０２の無線ネットワークサブシステム（ＲＮＳ）１０４に接続することができる。移動無線通信装置１０６は、隣接セルにおける無線ネットワークサブシステムからの信号をモニターすることができる。移動無線通信装置１０６は、無線通信ネットワーク１００内を移動無線通信装置が移動するにつれて、サービングセル１０２における無線ネットワークサブシステム１０４から隣接セル１１０における無線ネットワークシステム１０８へコネクションを移動させることができる。ユニバーサルモバイルテレコミュニケーションシステム（ＵＭＴＳ）プロトコルに基づくネットワークなどの第３世代無線通信ネットワークにおいて、移動無線通信装置１０６は、複数の無線アクセスベアラを介して同時に１以上の複数の無線ネットワークサブシステムに接続することができる。無線アクセスベアラの各々は、１つの無線アクセスベアラ上に音声サービス、２つめの無線アクセスベアラ上にデータサービスなどというように独立して異なる通信サービスを送信することができる。移動無線通信装置１０６は、サービングセル１０２の無線ネットワークサブシステムに、同時に複数の無線アクセスベアラによって接続することができる（ＲＮＳ１０４がそのような接続をサポートしている場合）。移動無線通信装置は、サービングセル１０２のＲＮＳ１０４と隣接セル１１０の第２のＲＮＳ１０８とに、第１の無線アクセスベアラによって同時に接続することもできる。スマートフォンと呼ばれる先進的な携帯無線通信装置は、複数の無線アクセスベアラとの接続を使用して、ユーザへの多様なサービスを提供することができる。
【００１３】
図２は、ＵＭＴＳアクセスネットワーク要素を含むＵＭＴＳ無線通信ネットワーク２００を示す。 ＵＭＴＳ無線通信ネットワーク２００において動作する移動無線通信装置１０６は、ユーザ機器（ＵＥ）２０２と呼ぶことができる（無線移動通信装置１０６は、ＧＳＭネットワークとＵＭＴＳネットワークのように、異なる無線アクセスネットワーク技術を使用する複数の無線通信ネットワークへの接続能力を有することができるので、以下の説明では、“マルチネットワーク”デバイスと同様に適用する。）。ＵＭＴＳ無線ネットワークにおいて、ＵＥ２０２は、１つまたは複数の無線リンク２２２、２２０を介して１つまたは複数の無線ネットワークサブシステム（ＲＮＳ）２１４、２０４に接続することができる。第一のＲＮＳ２０４は、無線周波数信号を送受信する、ノードＢ２０６として知られている無線アクセスシステムとノードＢ２０６とコアネットワーク２３６間の通信を管理する無線ネットワーク制御装置（ＲＮＣ）２０８とを含むことができる。同様に、第２のＲＮＳ２１４は、ノードＢ２１０とＲＮＣ２１２を含むことができる。ＧＳＭネットワークにおける移動無線通信装置１０６とは異なり、ＵＭＴＳネットワークのＵＥ２０２は、同時に複数の無線ネットワークサブシステムに接続することができる。各ＲＮＳは、回線交換音声ネットワークを介する音声接続とパケット交換データネットワークを介するデータ接続などのような、異なるサービスのための接続をＵＥ２０２に提供することができる。各無線リンク２２０、２２２は、ＵＥ２０２とそれぞれのＲＮＳ２０４、２１４との間の信号を伝送する１つ以上の無線アクセスベアラを含むことができる。複数の無線アクセスベアラは、個別の接続での個別のサービスまたは指定された接続のための追加の無線リソースを使うサービスを補うために使用できる。
【００１４】
コアネットワーク２３６には、外部の公衆交換電話網（ＰＳＴＮ）２３２との間で音声トラヒックを伝送する回線交換ドメインと外部の公衆データネットワーク（ＰＤＮ）との間でデータトラフィックを伝送できるパケット交換ドメイン２４０の両方を含めることができる。音声およびデータトラフィックは、各ドメインによって独立的にルーティングおよび伝送することができる。各ＲＮＳは移動無線通信装置へ音声およびデータトラフィックの両方を組み合わせて提供することができる。回線交換ドメイン２３８は、携帯電話加入者を他の携帯電話加入者またはゲートウエイＭＳＣ（ＧＭＳＣ）２３０を介して他のネットワークの加入者へ接続する複数の移動交換局（ＭＳＣ）２２８を含むことができる。パケット交換ドメイン２４０は、サービングＧＰＲＳサポートノード（ＳＧＳＮ）２２４と呼ばれる複数のサポートノードを含むことができ、１又は複数のゲートウェイＧＰＲＳサポートノード（ＧＧＳＮ）を介して携帯電話加入者、他のデータソース及びＰＤＮ２３４におけるシンクとの間でデータをルーティングする。コアネットワーク２３６の回線交換ドメイン２３８とパケット交換ドメイン２４０は、それぞれが並列に動作することができ、両方のドメインが同時に異なる無線アクセスネットワークに接続することができる。
【００１５】
図２に示すように、ＵＭＴＳ無線通信ネットワーク２００は、ＵＥ２０２が無線通信ネットワークへ複数の無線アクセスベアラを介して接続する、いくつかの異なる構成をサポートすることができる。最初の構成では、ＵＭＴＳ無線通信ネットワーク２００内でＵＥ２０２が場所を変えるのに応じて、ＵＥ２０２の「ソフト」ハンドオフが第１のＲＮＳ２０４と第２のＲＮＳ２１４との間に発生する可能性がある。第１の無線アクセスベアラを非アクティブ化する前に、第１のＲＮＳ２０４を介する第１の無線アクセスベアラは、第２のＲＮＳ２１４を介する第２の無線アクセスベアラにより補完されることが可能である。この場合は、複数の無線アクセスベアラは接続の信頼性を高めるために使用することができ、ＵＥ２０２は、通常、複数の無線アクセスベアラを介して１つのサービスを使用することができる。２番目の構成では、ＵＥ２０２は、パケットデータ接続をサポートするためにパケット交換ドメイン２４０へ第１のＲＮＳ２０４経由で接続でき、同時に音声接続をサポートするために回線交換ドメイン２３８へ第２のＲＮＳ２１４経由で接続できる。この場合、ＵＥ２０２はサービスごとに異なる無線アクセスベアラを維持することができる。３番目の構成では、単一のＲＮＳが同じＵＥ２０２への複数の無線アクセスベアラをサポートでき、各無線アクセスベアラは異なるサービスをサポートする。第２、第３の構成の場合は、それらが同時に異なるサービスに関連付けることができるように各無線アクセスベアラの確立と解放が独立であることが好ましい。
【００１６】
図３は、ＵＥ２０２がメッセージの交換を通じて、ＵＭＴＳ無線通信ネットワーク２００との接続を確立し、解放できる階層型プロトコルスタック３００を示している。セッション管理層のような階層型プロトコルスタック３００の上位層３１０は、無線通信ネットワーク２００へＵＥ２０２との接続を要求することができる。セッション管理層からの接続要求は、プロトコルスタック３００のレイヤ３のＲＲＣ処理ブロック３０８からプロトコルスタック３００のレイヤ２の無線リンク制御（ＲＬＣ）処理ブロック３０６へ渡される無線リソース制御（ＲＲＣ）サービスデータユニット（ＳＤＵ）として知られた一連の個別パケット化されたメッセージをもたらすことができる。レイヤ３のＳＤＵは、通信リンクの各端のレイヤ３のピア（ｐｅｅｒ）間の通信の基本単位を表す。各レイヤ３のＲＲＣ  ＳＤＵは、ＲＬＣ処理ブロック３０６によって通信リンクを介して伝送するための連続番号のレイヤ２のＲＬＣプロトコルデータユニット（ＰＤＵ）にセグメント化することができる。レイヤ２のＲＬＣ  ＰＤＵは、通信リンクの各端のレイヤ２ピア間のデータ転送の基本単位を表す。レイヤ２のＲＬＣ  ＰＤＵは、論理チャネル３１４をトランスポートチャネル３１２と無線リンクのエアーインターフェースを提供する物理レイヤ３０２にマッピングするメディアアクセス制御（ＭＡＣ）層３０４と呼ばれる階層型プロトコルスタックの追加の下位層を介して送信することができる。通信リンクの受信端（図示せず）では、レイヤ２のＲＬＣ  ＰＤＵは、別のＲＲＣ処理ブロックに届けるために完全なレイヤ３のＳＤＵを形成するために、別のＲＬＣ処理ブロックによって再構築することができる。
【００１７】
レイヤ２のＲＬＣプロトコルは、無線通信リンクのようなノイズの多い伝送路でのレイヤ２ＰＤＵの信頼できる伝送を提供するためにアクノリッジモード（ａｃｋｎｏｗｌｅｄｇ  ｍｏｄｅ）で動作するように構成することができる。レイヤ２ＰＤＵが送信中に紛失したり、誤って受信される場合は、レイヤ２ＰＤＵは、完全なレイヤ３のＳＤＵを再組み立てする前に再送される。レイヤ２のＲＬＣプロトコルは、再送信をトリガするために自動再送要求（ＡＲＱ）機能を使用することができる。送信レイヤ２のＲＬＣ処理ブロック３０６は、受信レイヤ２のＲＬＣ処理ブロックからステータスレポートを受け取ることができる。ステータスレポートは、送信側からのポールに応答するかまたは自動的に受信側で送信することができる。受信側のポーリングは、送信されたレイヤ２ＰＤＵのフィールドにポーリングビットを設定することによって成し遂げることができる。たとえば、特定のレイヤ３のＳＤＵに対する連続番号の最後のレイヤ２のＰＤＵにポーリングビットを設定することができる。受信側のレイヤ２処理ブロックは、ポーリングビットを認識し、ポーリングに対して最大の連続番号に等しいかそれよりも前のすべてのレイヤ２ＰＤＵが正しく受信されていることを、レイヤ３のＳＤＵにおけるレイヤ２ＰＤＵの最大のシーケンス番号を示すことにより、応答することができる。その代わりに、レイヤ２のＰＤＵが順序が狂って受信されるか、または誤って受信されたときに、受信側では自動的にステータスレポートを送信することができ、レイヤ２ＰＤＵが送信中に紛失または破損していることを送信側に警告する。送信側は、欠落しているレイヤのＰＤＵを再送することによってステータスレポートに応答することができる。ＲＬＣレイヤ２処理ブロック３０６のエラーチェックを有するセグメンテーションと再組み立て機能は、レイヤ３のＲＲＣＳＤＵが完全に正しく送信されかつ受信されることを保証する。
【００１８】
図２および図４に示すように、ＵＭＴＳネットワークは、２つの別個のドメインを含むことができる。回線交換トラフィック（音声あるいはトランスペアレントなデータ等）を搬送する回線交換ドメイン２３８とパケットデータ（インターネット接続、あるいはボイスオーバーＩＰ等）を搬送するパケット交換ドメイン（２４０）である。図４に示すように、ＵＥ２０２は、音声トラフィックを搬送するための無線アクセスベアラ４０２により回線交換ドメイン２３８と、データトラフィックを搬送する無線アクセスベアラ４０４を通してパケット交換ドメイン２４０とに同時に接続する。無線アクセスベアラは、ＲＮＳ２０４を介してＵＥ２０２とコアネットワーク２３６との間で回線交換データストリームを伝送するチャンネルかパケット交換データストリームを伝送するチャンネルかを考慮される。コアネットワーク２３６は、伝送されるデータストリームのための要件とユーザの申し出る他の条件とに基づいて、各無線アクセスベアラの特性が含むデータレートとサービス品質を設定することができる。パケットプロトコルコンテキスト４０６は、接続に無線アクセスネットワーク部分を介す無線アクセスベアラ４０４を使うインターネットプロトコル（ＩＰ）パケットの交換をサポートするために、ＵＥ２０２とゲートウェイＧＰＲＳサポートノード（ＧＧＳＮ）２２６との間のパケットデータ接続を提供することができる。ＰＤＰコンテキスト４０６はＵＥ２０２のためのＩＰアドレス等のＰＤＰアドレスを含むことができる。ＰＤＰコンテキスト４０６はセッション管理層３１０においてＵＥ２０２によって起動することができ、無線アクセスベアラ４０４は、確立されかつＵＥ２０２へデータを送信するためにＰＤＰコンテキスト４０６に関連付けられている。いったん確立されると、データはレイヤ３ＳＤＵの連続として送信することができ、各レイヤ３ＳＤＵは、図３に関する上記説明のように、連続番号付けされたレイヤ２ＰＤＵを介して送信される。
【００１９】
図５は、レイヤ２のＰＤＵの１回の再送信を含む、レイヤ２ＰＤＵの連続としてレイヤ３ＳＤＵの送信が成功したことを示している。図５は、ＵＥ２０２とＲＮＳ２０４との間で異なる８個のレイヤ２のデータＰＤＵを含むレイヤ３のＳＤＵを運ぶためのやりとりが発生していることを示している。レイヤ３のＳＤＵにおける各レイヤ２ＰＤＵは、固有のシーケンス番号（ＳＮ）を含むことができる。最初の２つのシーケンス番号１と２を有するレイヤ２のＰＤＵ５０２と５０４は、ＲＮＳ２０４で正しく受信されているが、シーケンス番号３を有する３番目のレイヤ３のデータＰＤＵ５０６は、送信中に紛失または、破損された可能性がある。四番目の、シーケンス番号４を持つレイヤ２データＰＤＵ５０８がＲＮＳ２０４で正しく受信されている場合は、ＲＮＳ２０４のＲＬＣレイヤ２処理ブロック３０６は、レイヤ２のデータＰＤＵ５０８は順序が狂って受信されることを認識することができる。この順序間違いへの応答として、ＲＮＳ２０４は、すべてのレイヤ２データＰＤＵ（最後のレイヤ２データＰＤＵを含むそれ以下の）が正しく受信されるために、最新のレイヤ３ＳＤＵの最後のレイヤ２データＰＤＵのシーケンス番号についての情報が含まれているレイヤ２ステータスＰＤＵ５１０を送ることができる。したがって、図５に示すシーケンス５００は、レイヤ２ステータスＰＤＵ５１０はシーケンス番号１と２が正しく受信されており、シーケンス番号３が失われたことを示すことができる（シーケンス番号４を含むレイヤ２のデータＰＤＵ５０８は正しく受信されたが、シーケンス番号３を持つレイヤ２のデータＰＤＵ５０６は正しく受信されておらず、シーケンス番号４のレイヤ２ステータスＰＤＵ５０８はまだ肯定応答されていない。）。ＵＥ２０２が、レイヤ２のＰＤＵが紛失したことを示すレイヤ２ステータスＰＤＵ５１０を受信する前に、次のレイヤ２データＰＤＵ５１２が次に送信される。レイヤ２のステータスＰＤＵ５１０を受信した後に、ＵＥ２０２は、レイヤ２データＰＤＵ５１４を送信中に紛失または破損したことに気づき、シーケンス番号３のレイヤ２データＰＤＵ５１４を再送信する。レイヤ２のデータＰＤＵ５１４にはポールビットを含めることができる。ＵＥ２０２は、追加のレイヤ２のデータＰＤＵを送信するよりむしろ、ＲＮＳ２０４からのポーリングへの応答を待機することができる。ＲＮＳ２０４は、ポーリングビットを設定されたレイヤ２のデータＰＤＵ５１４を正しく受信した後で、シーケンス番号５を含むそれ以下の全てのデータＰＤＵが正しく受信されたことを示す２番目のレイヤ２ステータスＰＤＵ５１６を送信できる（シーケンス番号３で再送されたレイヤ２のＰＤＵは、ギャップを埋めた。ＲＮＳ２０４は最大のシーケンス番号で応答することができ、ポールビットが含まれていたレイヤ２のＰＤＵのシーケンス番号であるとは限らない。）。ＵＥ２０２は、ＲＮＳ２０４へレイヤ３の残りのレイヤ２のデータＰＤＵ５１８、５２０、５２２の送信に進むことができる。シーケンス番号８の最終のレイヤ２のデータＰＤＵ５２２は、ＵＥ２０２が、ＲＮＳ２０４がレイヤ３のＳＤＵにおけるレイヤ２のＰＤＵが全て正しく受信されたことを知ることができるように、有効にされたポールビットを含むことができる。ポールビットが設定されたレイヤ２データＰＤＵ５２２の受信に応答して、ＲＮＳ２０４は、シーケンス番号８を含むそれ以下の全てのレイヤ２のデータＰＤＵが正しく受信されたことを示すレイヤ２ステータスＰＤＵ５２４を送信することができる。図５に示すように、レイヤ２のステータスＰＤＵは、ＵＥ２０２によるポーリングに応答して送信することができ、または、ＲＮＳ２０４自身によってトリガすることができる。ＳＤＵ内の最後のレイヤ２のデータＰＤＵが送信されたときにポーリングすることに加えて、ＵＥ２０２は、ポーリングタイマの満了時、１以上の送信バッファの状態に基づいて、定期的にまたは他のローカル基準を使用して、ポーリングすることができる。
【００２０】
図６は、ＵＥ２０２によりＲＮＳ２０４からの応答が受信されないで２つのレイヤ２のデータＰＤＵを含む短いレイヤ３のＳＤＵを送信しようとし失敗したことを示している。ＵＥ２０２は、レイヤ３内の最初のレイヤ２データＰＤＵ６０２をシーケンス番号１で送信し、続けてポールビットセットを含むシーケンス番号２のレイヤ２データＰＤＵ６０４を送信する。ＲＮＳ２０４は最初のレイヤ２のデータＰＤＵ６０２を正しく受信し、２番目のレイヤ２のデータＰＤＵは正しく受信されなかった。いくつもの理由から混雑やスケジューリングの問題が発生したときに、無線ネットワークにおいてＲＮＳ２０４からＵＥ２０２への応答が遅いことや応答のないことが発生する可能性がある。たとえば、ユーザがデータ接続へアクセスする数や伝送されるデータトラフィックの量が、計画され、割り当てられたネットワーク能力を圧倒する可能性がある。はじめに、ＵＥ２０２はワイヤレスネットワークが詰まっているようであれば最後のレイヤ２のデータＰＤＵ０４の送信を再試行することができる。ＵＥ２０２は、ポールビットがセットされた最後のレイヤ２のデータＰＤＵ６０４を送信するときに、ポールタイマを設定することができ、最初のポールタイマ間隔６０６の後で、ＵＥ２０２はポールビットをセットしてレイヤ２のデータＰＤＵ６０４を再度、再送信することができる。ＵＥ２０２はポールタイマをリセットすることができ、ポールタイマが満了すると、最後のレイヤ２のデータＰＤＵ６０４を再送信することができる。このポーリングは、ＵＥ２０２とＲＮＳ２０４との間のデータ接続をサポートする無線アクセスベアラを確立するときに、無線ネットワークによって提供されたパラメータＭＡＸ  ＤＡＴによって指定されるポーリングの最大回数に至るまで繰り返すことができる。図６に示すように、繰り返されるレイヤ２のデータＰＤＵ６０４の送信のそれぞれが紛失したりＲＮＳ６０４により誤って受信される可能性がある。
【００２１】
ＲＮＳ２０４をＭＡＸ  ＤＡＴＡ回ポーリングした後、ＵＥ２０２は、ＵＥ２０２とＲＮＳ２０４との間のＲＬＣレイヤ２接続のリセットを開始することができる。ＵＥ２０２は、ＲＮＳ２０４にＲＬＣレイヤ２リセットＰＤＵ６１４を送信することができ、ＲＮＳ２０４からＲＬＣレイヤ２リセット肯定応答ＰＤＵを待つことができる。レイヤ２肯定応答ＰＤＵが、第１リセット時間間隔６１６内に受信されなかったときは、ＵＥ２０２は、ＲＮＳ２０４にＲＬＣレイヤ２リセットＰＤＵ６１４を再送信することができる。ＲＬＣレイヤ２リセットＰＤＵ６１４をＭＡＸリセット回、再送した後に、ＵＥ２０２はＲＬＣレイヤ２接続が回復することができないと結論付けることができる。ＵＥ２０２はこれによりレイヤ３のＲＲＣ接続を解放して、アクティブな接続状態からアイドル状態へ変化させることにより、ＵＥ２０２と無線ネットワーク間のリンク６２２を切断することができる。その後、ＵＥ２０２は、ＲＬＣレイヤ２に回復不能なエラーが発生したため、状態変化を示すセル更新制御メッセージ６２４を無線ネットワークに送信することができる（セル更新メッセージは、回復不能なデータ接続とは別のＵＥ２０２と無線ネットワークとの間の共通制御チャネル上に送信することができる。）。アイドル状態に入ることで、ＵＥ２０２は、無線アクセスベアラの一つにリカバリ不能なエラーが発生しているデータ接続及び同時に使用している別の無線アクセスベアラの任意のデータ又は音声接続も切断することができる。したがって、ＵＥ２０２のユーザは、複数の無線アクセスベアラを介して接続されている場合に、同時のデータ接続上で無関係にあるデータが詰まったために、音声通話の脱落を被る可能性がある。
【００２２】
図７は、ワイヤレスネットワークにＵＥ２０２の他の同時接続を維持したまま誤りのあるデータ接続を切断することができる、複数の無線アクセスベアラにより無線ネットワークに接続されたＵＥ２０２を制御するための代替方法を示している。図６に示すように、ＵＥ２０２は、異なるシーケンス番号を持つ２つの別々のデータＰＤＵ６０２、６０４としてＲＮＳ２０４にレイヤ３のＳＤＵを送信することができる。２番目のデータＰＤＵ６０４（レイヤ３ＳＤＵの最後のレイヤ２のＰＤＵ）は、ポールビットを含むことができる。そして、ＲＮＳ２０４から肯定応答が受信されないときは、ＵＥ２０２は最後のレイヤ２のＰＤＵ６０４をＭＡＸ  ＤＡＴ回繰り返して送信することができる。ＭＡＸ  ＤＡＴ回ポーリングした後、ＵＥ２０２は、非アクティブ化（ｄｅａｃｔｉｖａｔｅ）タイマーをスタートすることができる。非アクティブ化時間間隔７０４が満了した時点で、ＵＥ２０２は、応答のないデータ接続に関連付けられたパケットデータプロトコル（ＰＤＰ）コンテキスト（ｃｏｎｔｅｘｔ）を非アクティブ化７０６することができる。ＰＤＰコンテキストを非アクティブにした結果として、関連する無線アクセスベアラは、ＵＥ２０２とＲＮＳ２０４との間の他の無線アクセスベアラを介した接続に影響を与えずに、無線ネットワークにより解放することができる。ＵＥ２０２はこのようにして、ＵＥ２０２のユーザがデータ接続または音声通話接続を互いに独立に終了させることができたときに、ＵＥ２０２から無線ネットワークへの複数の同時接続を中断させるアイドル状態に入らず、無線リソースを解放することができる。非アクティブ化時間間隔７０４の長さは、ポーリングの終了とレイヤ２リセットＰＤＵの送信終了までの非アクティブ化時間期間７０２の間にＰＤＰコンテキストの非アクティブ化７０６を発生するように設定することができる。ＵＥは、図６に行われているようにアイドル状態へ変化しないことにより、無線リンク６２２の切断を避けることができる。
【００２３】
図７に示された方法から一般化して、図８は、移動無線通信装置及び無線通信ネットワーク間の複数の無線アクセスベアラ接続を制御するための方法を概説している。移動無線通信装置は、ステップ８０２において、第１の無線アクセスベアラを使用してデータパケットを送信することができる。移動無線通信装置は、ステップ８０４において、無線通信ネットワークによってデータパケットが正しく受信されたかどうかを判定することができる。データパケットが正しく受信されている場合、この方法は終了することができる。データパケットが正しく受信されなかった場合、ステップ８０６において、移動無線通信装置はデータパケットがＮ回再送信されたかどうか判定することができる。Ｎ回未満の再送信が発生している場合は、移動無線通信装置は、ステップ８０２、８０４及び８０６の送信と判定を繰り返すことができる。データパケットが無線通信ネットワークにより正しく受信されずにＮ回再送信後に、移動無線通信装置は、ステップ８２０で移動無線通信装置と無線通信ネットワーク間の第２の無線アクセスベアラを同時に維持しながら、ステップ８１６においてデータパケットが送信されている第１の無線アクセスベアラを解放することができる。ステップ８０８において、移動無線通信装置は、必要に応じて、第１の無線アクセスベアラを解放する前に非アクティブ時間期間の間を待つことができる。追加のオプションステップはまた、Ｎ回のデータパケット再送信後にリセットパケットを送信することを提供する。ステップ８１０において、リセットパケットが無線通信ネットワークへ移動無線通信装置によって送信される。ステップ８１２において、移動無線通信装置は、無線通信ネットワークによりリセットパケットが正しく受信されたかどうかを判定することができる。リセットパケットが正しく無線通信ネットワークによって受信されたときは、この方法は終了することができる。リセットパケットが正しく受信されない場合は、移動無線通信装置は、リセットパケットが整数Ｍ回再送信されたかどうか判定することができる。Ｍ回未満の再送信が発生している場合は、移動無線通信装置は、送信および判定のステップ８１０、８１２及び８１４を繰り返すことができる。Ｍ回の再送信後に、移動無線通信装置は第２の無線アクセスベアラを維持しながら、第１の無線アクセスベアラを解放することができる。
【００２４】
種々の実施形態は、ソフトウェア、ハードウェアまたはハードウェアとソフトウェアの組み合わせによって実現することができる。記載された実施形態は、製造オペレーションを制御するための、または熱可塑性成形品を製造するために使用される製造ラインを制御するためのコンピュータ可読媒体上のコンピュータ読み取り可能なコードのようなコンピュータ可読媒体上のコンピュータ読み取り可能なコードとして具現化することができる。コンピュータ可読媒体は、コンピュータシステムによって読み取られるデータを格納することができる任意のデータ記憶装置である。コンピュータ読み取り可能な媒体の例は、読み取り専用メモリ、ランダムアクセスメモリ、ＣＤ-ＲＯＭやＤＶＤ、磁気テープ、光データ記憶装置、及び搬送波が含まれる。コンピュータ読み取り可能な媒体は、コンピュータ読み取り可能なコードが分散方式で格納され実行されるように、コンピュータシステムに接続されたネットワーク上に分散配置される。
【００２５】
実施形態の様々な側面、実施形態、実装や機能は、個別にまたは任意の組み合わせで使用することができる。上記の説明は、説明の目的のために、本開示の完全な理解を提供するため特定の用語を使用した。しかし、具体的な詳細は本開示を実施するために必要とされないことは、当業者には明らかであろう。従って、本開示の特定の実施形態の上記説明は、例示および説明のために提示されている。それらは、網羅的でも、開示された形態に本開示を限定するものでもない。当業者には多くの改変及び変形が上記の教示に鑑みて可能であることは明らかであろう。
【００２６】
実施形態は、本開示の原理と応用を説明するために選択され、説明された。それによって、本発明を良好に利用できかつ意図される特定の使用に適合するように種々に変形して種々の実施形態を他の当業者に可能にする。
【図１】
0005547341.tif 000002
【図２】
0005547341.tif 000003
【図３】
0005547341.tif 000004
【図４】
0005547341.tif 000005
【図５】
0005547341.tif 000006
【図６】
0005547341.tif 000007
【図７】
0005547341.tif 000008
【図８】
0005547341.tif 000009